【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ビデオ符号化器における方法であって、
ピクチャ内の少なくともブロックについてのピクチャ・データを符号化すること（６９０）を含み、
前記ブロックのイントラ予測クロマ符号化のために、複数のパーティション・タイプがサポートされ（６３０、８３０、８７０）、前記複数のパーティション・タイプは、１６×１６、８×８、４×４のサイズを有する複数のクロマ・パーティション・タイプのセットおよび複数のルマ・パーティション・タイプのセットを含み（８３０、８７０）、
前記ブロックを符号化するために使用される特定のルマ・パーティション・タイプとは独立して、前記複数のクロマ・パーティション・タイプのセットから、前記ブロックを符号化するために単一のクロマ・イントラ予測モードを用いる特定のクロマ・パーティション・タイプが決定され（８６０、８８５）、前記特定のルマ・パーティション・タイプは、前記複数のルマ・パーティション・タイプのセットから決定され、または
前記ブロックまたは１つ以上の近傍のブロックを符号化するために利用されるルマ・パーティション・タイプに応じて、前記複数のクロマ・パーティション・タイプのセットから、前記ブロックを符号化するために単一のクロマ・イントラ予測モードを用いる特定のクロマ・パーティション・タイプが決定され（６７０）、前記ルマ・パーティション・タイプが前記複数のルマ・パーティション・タイプのセットに含まれる、方法。
【請求項２】
前記特定のクロマ・パーティション・タイプのために、当該特定のクロマ・パーティション・タイプと一致する最も大きなサイズの利用可能な変換が変換のセットから選択される、請求項１に記載の方法。
【請求項３】
前記ブロックを符号化するために選択された特定のルマ・パーティション・タイプおよび特定のクロマ・パーティション・タイプのうち、前記特定のルマ・パーティション・タイプのみが信号により伝達され（６９０）、前記特定のルマ・パーティション・タイプは、前記複数のルマ・パーティション・タイプのセットから選択され、前記特定のクロマ・パーティション・タイプは、前記複数のクロマ・パーティション・タイプのセットから選択される、請求項１に記載の方法。
【請求項４】
前記特定のルマ・パーティション・タイプが絶対的に符号化される、または、１つ以上の近傍のブロックから差分符号化される（６９０）、請求項３に記載の方法。
【請求項５】
前記特定のクロマ・パーティション・タイプおよび前記特定のルマ・パーティション・タイプの両方が信号によって伝達される（８９０）、請求項１に記載の方法。
【請求項６】
前記特定のルマ・パーティション・タイプおよび前記特定のクロマ・パーティション・タイプが絶対的に符号化される、または、１つ以上の近傍のブロックから差分符号化される（８９０）、請求項５に記載の方法。
【請求項７】
ビデオ復号器における方法であって、
ピクチャ内の少なくともブロックについてのピクチャ・データを復号すること（７２０、７４０、７５０、９２０、９３０、９４０、９５０）を含み、
前記ブロックのイントラ予測クロマ復号のために、複数のパーティション・タイプがサポートされ（７３０、９４０）、前記複数のパーティション・タイプは、１６×１６、８×８、４×４のサイズを有する複数のクロマ・パーティション・タイプのセットおよび複数のルマ・パーティション・タイプのセットを含み（７２０、９２０、９４０）、
前記ブロックを復号するために使用される特定のルマ・パーティション・タイプとは独立して、前記複数のクロマ・パーティション・タイプのセットから、前記ブロックを復号するために単一のクロマ・イントラ予測モードを用いる特定のクロマ・パーティション・タイプが決定され（９２０、９４０）、前記特定のルマ・パーティション・タイプは、前記複数のルマ・パーティション・タイプのセットから決定され、または
前記ブロックまたは前記ブロックの１つ以上の近傍のブロックを復号するために利用されるルマ・パーティション・タイプに応じて、前記複数のクロマ・パーティション・タイプのセットから、前記ブロックを復号するために単一のクロマ・イントラ予測モードを用いる特定のクロマ・パーティション・タイプが決定され（７３０）、前記ルマ・パーティション・タイプが前記ルマ・パーティション・タイプのセットに含まれる、方法。
【請求項８】
前記特定のクロマ・パーティション・タイプのために、当該特定のクロマ・パーティション・タイプと一致する最も大きなサイズの利用可能な変換が変換のセットから選択される、請求項７に記載の方法。
【請求項９】
前記ブロックを復号するために選択された特定のルマ・パーティション・タイプおよび特定のクロマ・パーティション・タイプのうち、前記特定のルマ・パーティション・タイプを示す情報のみが前記ブロックを復号するために使用される対応する符号化器から受信され（７２０）、前記特定のルマ・パーティション・タイプは、前記複数のルマ・パーティション・タイプのセットから選択され、前記特定のクロマ・パーティション・タイプは、前記複数のクロマ・パーティション・タイプのセットから選択される、請求項７に記載の方法。
【請求項１０】
前記特定のルマ・パーティション・タイプが、絶対的に復号される、または、１つ以上の近傍のブロックから差分復号される（７２０）、請求項９に記載の方法。
【請求項１１】
前記特定のクロマ・パーティション・タイプおよび前記特定のルマ・パーティション・タイプの両方を示す情報は、前記ブロックを復号する際に使用される対応する符号化器から受信される（９２０、９４０）、請求項７に記載の方法。
【請求項１２】
前記特定のルマ・パーティション・タイプおよび前記特定のクロマ・パーティション・タイプが絶対的に復号される、または、１つ以上の近傍のブロックから差分復号される（９２０、９４０）、請求項１１に記載の方法。
【請求項１３】
ピクチャ内の少なくともブロックについてのピクチャ・データを符号化する符号化器（４００）を備え、
前記ブロックのイントラ予測クロマ符号化のために、複数のパーティション・タイプがサポートされ、前記複数のパーティション・タイプは、１６×１６、８×８、４×４のサイズを有する複数のクロマ・パーティション・タイプのセットおよび複数のルマ・パーティション・タイプのセットを含み、
前記ブロックを符号化するために使用される特定のルマ・パーティション・タイプとは独立して、前記複数のクロマ・パーティション・タイプのセットから、前記ブロックを符号化するために単一のクロマ・イントラ予測モードを用いる特定のクロマ・パーティション・タイプが決定され（８６０、８８５）、前記特定のルマ・パーティション・タイプは、前記複数のルマ・パーティション・タイプのセットから決定され、または
前記ブロックまたは１つ以上の近傍のブロックを符号化するために利用されるルマ・パーティション・タイプに応じて、前記複数のクロマ・パーティション・タイプのセットから、前記ブロックを符号化するために単一のクロマ・イントラ予測モードを用いる特定のクロマ・パーティション・タイプが決定され（６７０）、前記ルマ・パーティション・タイプが前記複数のルマ・パーティション・タイプのセットに含まれる、装置。
【請求項１４】
ピクチャ内の少なくともブロックについてのピクチャ・データを復号する復号器（５００）を備え、
前記ブロックのイントラ予測クロマ復号のために、複数のパーティション・タイプがサポートされ、前記複数のパーティション・タイプは、１６×１６、８×８、４×４のサイズを有する複数のクロマ・パーティション・タイプのセットおよび複数のルマ・パーティション・タイプのセットを含み、
前記ブロックを復号するために使用される特定のルマ・パーティション・タイプとは独立して、前記複数のクロマ・パーティション・タイプのセットから、前記ブロックを復号するために単一のクロマ・イントラ予測モードを用いる特定のクロマ・パーティション・タイプが決定され、前記特定のルマ・パーティション・タイプは、前記複数のルマ・パーティション・タイプのセットから決定され、または
前記ブロックまたは前記ブロックの１つ以上の近傍のブロックを復号するために利用されるルマ・パーティション・タイプに応じて、前記複数のクロマ・パーティション・タイプのセットから、前記ブロックを復号するために単一のクロマ・イントラ予測モードを用いる特定のクロマ・パーティション・タイプが決定され、前記ルマ・パーティション・タイプが前記ルマ・パーティション・タイプのセットに含まれる、装置。
【請求項１５】
ピクチャ内の少なくともブロックについてのピクチャ・データを符号化することによって生成されるビデオデータを含む信号であって、
前記ブロックのイントラ予測クロマ符号化のために、複数のパーティション・タイプがサポートされ、前記複数のパーティション・タイプは、１６×１６、８×８、４×４のサイズを有する複数のクロマ・パーティション・タイプのセットおよび複数のルマ・パーティション・タイプのセットを含み、
前記ブロックを符号化するために使用される特定のルマ・パーティション・タイプとは独立して、前記複数のクロマ・パーティション・タイプのセットから、前記ブロックを符号化するために単一のクロマ・イントラ予測モードを用いる特定のクロマ・パーティション・タイプが決定され（８６０、８８５）、前記特定のルマ・パーティション・タイプは、前記複数のルマ・パーティション・タイプのセットから決定され、または
前記ブロックまたは１つ以上の近傍のブロックを符号化するために利用されるルマ・パーティション・タイプに応じて、前記複数のクロマ・パーティション・タイプのセットから、前記ブロックを符号化するために単一のクロマ・イントラ予測モードを用いる特定のクロマ・パーティション・タイプが決定され（６７０）、前記ルマ・パーティション・タイプが前記複数のルマ・パーティション・タイプのセットに含まれる、信号。